(57)【特許請求の範囲】
【請求項１】
記録紙を切断するカッタ装置において、
前記記録紙の搬送路をはさむようにして対向配置された第１及び第２のカッタ刃と、
前記第１のカッタ刃を支持する第１の支持部と、
前記第２のカッタ刃を支持する第２の支持部であって、前記第１の支持部に対して移動可能な第２の支持部とを有し、
前記第２のカッタ刃は、前記第２の支持部の前記第１の支持部に対する位置に応じて、第１の位置と第２の位置とに移動可能に支持され、前記第１の位置では前記第１のカッタ刃と協働して前記記録紙を切断可能な協働状態となり、前記第２の位置では前記第２の支持部の当接面に当接し、
前記第２の支持部は、前記当接面から突出した第１の突起部であって、前記第２のカッタ刃よりも前記搬送路の側から前記第２のカッタ刃が位置する側に突出すると共に、前記第２のカッタ刃に沿った平面を有する第１の突起部を有することを特徴とする切断装置。
【請求項２】
請求項１記載のカッタ装置において、
前記第２の支持部は、弾性体を有し、
前記第２のカッタ刃は、前記弾性体の弾性力により前記第２の位置に向けて付勢され、前記第２の位置にあるとき、前記第２のカッタ刃の一部又は全てが前記第１の突起部に遮蔽されることを特徴とするカッタ装置。
【請求項３】
請求項２記載のカッタ装置において、
前記第１の支持部は、前記第２のカッタ刃と当接し当該第２のカッタ刃を前記弾性体の弾性力に抗して前記第１の位置に移動させるための当接部を有することを特徴とするカッタ装置。
【請求項４】
請求項１記載のカッタ装置において、
前記第１の突起部は、前記第２の支持部に対して固定されていることを特徴とするカッタ装置。
【請求項５】
請求項１記載のカッタ装置において、
前記記録紙の搬送を案内するためのガイド部を有し、当該ガイド部は前記第１の突起部と一体的に設けられていることを特徴とするカッタ装置。
【請求項６】
請求項１記載のカッタ装置において、
前記第２の支持部は、前記第２のカッタ刃をはさんで前記当接面と対向する側に、前記第１の突起部の平面と略平行な平面を有する第２の突起部を有することを特徴とするカッタ装置。
【請求項７】
請求項１記載のカッタ装置において、
前記第１のカッタ刃は可動刃であり、前記第２のカッタ刃は固定刃であることを特徴とするカッタ装置。
【請求項８】
請求項７記載のカッタ装置において、
前記第１のカッタ刃は、前記第２のカッタ刃に対して点接触した状態で鋏状に交叉摺動可能であることを特徴とするカッタ装置。
【請求項９】
請求項１記載のカッタ装置を備えたプリンタであって、
記録紙に印字を行うための印字ユニットを有するメインフレームと、
前記メインフレームに開閉可能に支持されたカバーフレームとを有し、
前記メインフレームは前記第１の支持部を、前記カバーフレームは前記第２の支持部を含み、
前記カバーフレームは、前記第１の位置に相当する閉位置と、前記第２の位置に相当する開位置との間を回動可能に支持されることを特徴とするプリンタ。
【発明の詳細な説明】
【０００１】
【発明の属する技術分野】
本発明は、記録紙を切断するカッタ装置及びカッタ装置を備えたプリンタに関し、特にカッタ刃の刃部を保護する機構を有するカッタ装置及びカッタ装置を備えたプリンタに関する。
【０００２】
【従来の技術】
一般に、ＰＯＳ（Ｐｏｉｎｔ  Ｏｆ  Ｓａｌｅ）システムで使われる電子キャッシュレジスタに適用されるプリンタは、ロール状の記録紙に対して感熱方式等の印字ヘッドにより印字を行った後、レシートとして発行するため、その記録紙を切断するカッタ装置が備えられている。
【０００３】
このようなカッタ装置として、実開平２−１０９５３号公報に開示されているように、記録紙の搬送経路を挟んで対向配置された可動刃と固定刃とからなり、記録紙に対して直交する方向に可動刃が移動し、切断箇所を一端から他端へ移動させながら切断するいわゆる鋏タイプのカッター装置が知られている。
【０００４】
また、この場合において、可動刃はプリンタ本体側に、固定刃はプリンタ本体に対して開閉可能に支持された蓋体に配設され、蓋体が閉じられた状態で固定刃に対して可動刃を摺動させることによって記録紙を切断するものが知られている。
【０００５】
また、特開昭６０−１６４００号公報に開示されているように、蓋体にカッタを備える構成において、カッタ刃を遮蔽する遮蔽部材が、蓋体の開閉移動に伴って、カッタ刃を遮蔽する位置及びカッタ刃を露出する位置に移動されるように構成されたものも知られている。これにより、ロール紙の交換等における蓋体の開閉の際に、カッタ刃が露出してその刃部が破損する等の問題を防止していた。
【０００６】
【発明が解決しようとする課題】
しかしながら、従来のカッタ装置においては、蓋体の開閉に伴って遮蔽部材をカッタの刃部に対して遮蔽する位置と露出する位置との間を移動させるために、例えばカム等の機構を用いなければならず、構成が複雑になるという問題があった。また、遮蔽部材は、蓋体の開動作に伴って徐々に露出位置から遮蔽位置に移動するため、蓋体が完全に開いた状態でなければカッタ刃を遮蔽し保護することができないという問題があった。
【０００７】
本発明は、このような従来技術の問題点を解決するためになされたもので、簡単な構成で、カッタ刃を確実に保護することのできるカッタ装置及びカッタ装置を備えたプリンタを提供することを目的とする。
【０００８】
【課題を解決するための手段】
上記課題を解決するため、本発明のカッタ装置は、記録紙の搬送路をはさむようにして対向配置された第１及び第２のカッタ刃と、第１のカッタ刃を支持する第１の支持部と、第２のカッタ刃を支持する第２の支持部であって、第１の支持部に対して移動可能な第２の支持部とを有し、第２のカッタ刃は、第２の支持部の第１の支持部に対する位置に応じて、第１の位置と第２の位置とに移動可能に支持され、第１の位置では第１のカッタ刃と協働して記録紙を切断可能な協働状態となり、第２の位置では第２の支持部の当接面に当接し、第２の支持部は、当接面から突出した第１の突起部であって、第２のカッタ刃よりも搬送路の側から第２のカッタ刃が位置する側に突出すると共に、第２のカッタ刃に沿った平面を有する第１の突起部を有することを特徴とする。
【０００９】
本発明によれば、第１と第２のカッタ刃が非協働状態となる位置に第２の支持部が配されると、第２のカッタ刃が移動してその刃部の一部又は全てが第１の突起部によって遮蔽される。これにより、第２のカッタ刃の刃部に欠け等が発生することなく保護することができる。
【００１０】
この場合に、第２の支持部は、弾性体を有し、第２のカッタ刃は、弾性体の弾性力により第２の位置に向けて付勢され、第２の位置にあるとき、第２のカッタ刃の一部又は全てが第１の突起部に遮蔽されるよう構成することが望ましい。また、第１の支持部は、第２のカッタ刃と当接し当該第２のカッタ刃を弾性体の弾性力に抗して第１の位置に移動させるための当接部を有するよう構成することが望ましい。
【００１１】
これにより、第２の支持部を移動して第１と第２のカッタ刃を非協働状態とさせた場合に、第２のカッタ刃の刃部が自動的に第１の突起部に遮蔽されるため、カッタ刃の刃部を確実に保護することができる。
【００１２】
また、第２の支持部を移動して第１と第２のカッタ刃を協働状態とさせた場合に、第２のカッタ刃の刃部が第１の突起部から自動的に露出されることから、カッタ刃を切断可能な状態にするための特別な操作を必要とすることなく、取り扱いの容易なカッタ装置を得ることができる。
【００１３】
さらに、弾性体の弾性力を利用することにより、カム機構等の複雑な機構を必要とすることなく簡単な構成でカッタ刃を遮蔽・露出させることができる。
【００１４】
またこの場合に、第１の突起部が、第２の支持部に対して固定されていることが望ましい。
【００１５】
これにより、第１と第２のカッタ刃が非協働状態となる位置に第２の支持部が配され、第１の突起部に外力が作用した場合であっても、当該突起部は動かないため、第２のカッタ刃の保護をより確実にすることができる。
【００１６】
またこの場合に、記録紙の搬送を案内するためのガイド部を有し、当該ガイド部は遮蔽部と一体的に設けられていることが望ましい。
【００１７】
これにより、記録紙の端縁をガイド部に沿って確実にカッタ刃に導くことが可能となる。また、第２の支持部を移動して第１と第２のカッタ刃を非協働状態とさせた場合に、記録紙のガイド部が第２の支持部とともに移動されて記録紙の搬送路が開放されるため、ロール紙交換等の作業を容易に行うことができる。
【００１８】
またこの場合に、第２の支持部は、第２のカッタ刃をはさんで当接面と対向する側に、第１の突起部の平面と略平行な平面を有する第２の突起部を有することが望ましい。
【００１９】
これにより、第１の突起部と協働して、第２のカッタ刃をより確実に保護することができる。
【００２０】
またこの場合に、第１のカッタ刃は可動刃であり、第２のカッタ刃は固定刃であることが望ましい。また、第１のカッタ刃を、第２のカッタ刃に対して点接触した状態で鋏状に交叉摺動可能とした、いわゆる鋏タイプのカッタ装置とすることができる。
【００２１】
これによれば、回動する第２の支持部に可動刃を駆動するための機構を設ける必要がないことから、全体的に構成が簡素なものとなる。
【００２２】
また、本発明によれば、固定刃の刃部を確実に保護しうるカッタ装置を備えたプリンタが得られる。すなわち、本発明のプリンタは、記録紙に印字を行うための印字ユニットを有するメインフレームと、メインフレームに開閉可能に支持されたカバーフレームとを有し、メインフレームは第１の支持部を、カバーフレームは第２の支持部を含み、カバーフレームは、第１の位置に相当する閉位置と、第２の位置に相当する開位置との間を回動可能に支持されることを特徴とする。
【００２３】
【発明の実施の形態】
以下、本発明に係るプリンタの実施形態を図面を参照して詳細に説明する。なお、本実施形態のプリンタは、後述するように、固定刃と可動刃とからなる鋏タイプのカッター装置を備える。
【００２４】
（第１の実施形態）
図１及び図２は、本発明の一実施形態に係るプリンタの内部構成の要部を示す正面図で、カバーフレームが開いた状態及びカバーフレームが閉じた状態を示すものである。
【００２５】
図１又は図２に示すように、プリンタ１は、本体フレーム２と、当該本体フレーム２に回動可能に支持された固定刃支持フレーム６（第２の支持部。以下カバーフレームとも称する。）とを備える。
【００２６】
本体フレーム２は、底部２ａと当該底部２ａの両端に形成された側部２ｂとからなる。この本体フレーム２の両側部２ｂの前方側（図中Ｆ側）上部に、固定刃５１（第２のカッタ刃）を支持するための固定刃支持フレーム６が、支軸５０を中心として矢印Ａ又はＢ方向に回動開閉自在に支持されている。
【００２７】
固定刃支持フレーム６は、平板状の支持部６ａと当該支持部６ａの両端に形成された側部６ｂとからなり、これらの両側部６ｂが本体フレーム２の両側部２ｂと重なり合った状態で本体フレーム２に支持される。本体フレーム２及び固定刃支持フレーム６は、例えば板金の折り曲げ加工によって形成される。
【００２８】
一方、本体フレーム２の両側部２ｂの後方側（図中Ｒ側）の上部には、可動刃３７（第１のカッタ刃）が収容されたカッタユニット３０が取り付けられている。カッタユニット３０は、カッタフレーム３とカッタカバー４とから構成されるカッタケース５（第１の支持部）を有し、このカッタケース５内に、可動刃３７と、可動刃３７を駆動するためのカッタモータ３１が配設されている。
【００２９】
また、本体フレーム２の両側部２ｂの内側には、サーマルヘッド２０が支軸２１を中心として回動自在に設けられている。このサーマルヘッド２０は、図示しない回路基板にケーブルを介して接続され、また図２に示すように、ヘッド押圧ばね２２によって後述するプラテンローラ４０に押圧付勢されるようになっている。
【００３０】
固定刃支持フレーム６には、プラテンローラ４０が取り付けられ、固定刃支持フレーム６が閉じた状態でサーマルヘッド２０に対向するよう配設されている。プラテンローラ４０は、固定刃支持フレーム６に取り付けられた軸受け４１にプラテン軸４２が支持されることによって回動自在に支持されるようになっている。そして、記録紙はサーマルヘッド２０とプラテンローラ４０との間を通過し、サーマルヘッド２０により印字が行われる。
【００３１】
また、本体フレーム２の両側部２ｂの内側には、図１に示すように、プラテンローラ４０を回転駆動するための駆動手段１０が設けられている。駆動手段１０は、本体フレーム２の後方側（図中Ｒ側）に設けられた駆動モータ１１と、この駆動モータ１１の回転駆動力を伝達するための歯車列とからなり、当該回転駆動力はモータ歯車１２から減速歯車１３を介して中間歯車１４に伝達されるように構成されている。そして、プラテン軸４２の一方の端部に固定されたプラテン歯車４３が、固定刃支持フレーム６を閉じた状態において中間歯車１４と同軸に、かつ一体成形された歯車１５と噛み合うことによってプラテンローラ４０が回転駆動されるようになっている。このプラテンローラ４０の回動に伴って記録紙は後述する搬送路Ｐに沿って搬送される。
【００３２】
本体フレーム２の前方側（図中Ｆ側）には、図示しないロール紙から引き出された記録紙を、サーマルヘッド２０とプラテンローラ４０との間に向けて案内するための印字ガイド部２ｃが設けられている。また、カッタフレーム３の底部３ａの裏面には、カッタガイド１６が取り付けられている。カッタガイド１６は、カッタフレーム３の底部３ａの裏面に重なるように配設される取付部１６ａと、この取付部１６ａに対して略直交する方向に折り曲げられたガイド部１６ｂとから構成され、例えばステンレス鋼板を折り曲げることによって形成される。カッタガイド１６は、そのガイド部１６ｂがサーマルヘッド２０に向かうように配設される。そして、記録紙は、本体フレーム２の前方側（図中Ｆ側）から印字ガイド部２ｃに導かれ、サーマルヘッド２０とプラテンローラ４０の間、カッタガイド１６のガイド部１６ｂと後述するブレードカバー５５との間、固定刃５１と可動刃３７との間を通過し、プリンタ１の外部へ搬送されるようになっている（搬送路Ｐ）。
【００３３】
次に、図３を参照してカッタユニット３０について説明する。図３は、本実施の形態のプリンタの内部構成の要部を示す一部切り欠き平面図である。図３に示すように、可動刃３７は、金属製の略長方形の板状部材からなり、その長手方向の一方の端縁に刃部３７ａが形成されるとともに、他方の端部のほぼ中央に長孔３７ｃが形成されている。そして、可動刃３７は、切断開始側の基端部３７ｂにおいて、カッタフレーム３の底部３ａの前方側（図中Ｆ側）に設けられた支軸３９を中心として矢印Ｃ又はＤ方向に回動自在に支持されている。
【００３４】
なお、この可動刃３７の基端部３７ｂとカッタフレーム３の底部３ａとの間にはスペーサ３８が設けられ、可動刃３７とカッタフレーム３の底部３ａとの間に所定量の隙間を確保している（図１又は図２参照）。
【００３５】
カッタモータ３１は、可動刃３７の回動を妨げることのないようカッタフレーム３の後方かつ支軸３９側に配設されている。カッタモータ３１の回転駆動力は、カッタモータ３１の回転軸に固定された歯車３２、この歯車３２と噛み合う歯車３４、この歯車３４とともに回転する駆動軸３３、駆動軸３３に固定されたウォーム３５を介してウォーム３５と噛み合うウォームホィール３６に伝達され、ウォームホィール３６を所定の方向（例えば、図３中矢印Ｅ方向）へ回転させる。
【００３６】
ウォームホィール３６の裏面（カッタフレーム３の底部３ａ側）にはクランクピン３６ａが突出形成されて、可動刃３７の長孔３７ｃと係合するように構成されている。これにより、可動刃３７は支軸３９を回動中心として矢印Ｃ又はＤ方向へ回転駆動される。すなわち、可動刃３７を矢印Ｃ方向に回転駆動させることにより記録紙９を切断し、矢印Ｄ方向に回転駆動させることにより待機位置に位置させることができる。
【００３７】
次に、図３、図４及び図５を参照して、固定刃支持フレーム６について説明する。図４は、図３のＸ−Ｘ線部分断面図であり、図５は、図３のＹ−Ｙ線部分断面図である。図に示すように、固定刃支持フレーム６の支持部６ａには、上記可動刃３７と協働して記録紙９を切断するための固定刃５１が配設されている。この固定刃５１は、金属製の略長方形の板状部材からなるもので、その長手方向の一方の縁部には刃部５１ａが形成されている。そして、刃部５１ａの両端部には、固定刃５１の長手方向と略直交する方向に突出するように２つの係合突部５１ｂ、５１ｃが形成されている。この場合、固定刃５１は、その刃部５１ａが固定刃支持フレーム６の支持部６ａの後方縁部に沿って配置され、係合突部５１ｂ、５１ｃが支持部６ａの後方縁部からカッタフレーム３側に突き出すようになっている。また、固定刃５１の長手方向の他方の縁部の両端部には、固定刃５１の長手方向に突出するように支持突部５１ｄ、５１ｅが形成されている。さらに、固定刃５１には、後述する支持軸５２、５３が貫通する孔部５１ｆ、５１ｇが所定の間隔で設けられている。
【００３８】
固定刃支持フレーム６の支持部６ａの両側の縁部には、固定刃５１を位置決め支持するための略Ｕ字状の位置決め支持部６０が突出形成されている。位置決め支持部６０は、所定の間隔で立設された一対の位置決め部６０ａと、位置決め部６０ａの間に形成された支持底部６０ｂとから構成される。支持底部６０ｂは、図５に示すように、支持部６ａの表面より所定の距離だけ高い位置に設けられている。
【００３９】
そして、固定刃５１の支持突部５１ｄ、５１ｅが、位置決め支持部６０と係合される。この場合、位置決め部６０ａの間の間隔が支持突部５１ｄ、５１ｅの幅より若干広くなるように形成され、これにより固定刃５１は位置決め支持部６０に若干の余裕をもって支持されるようになっている。
【００４０】
また、固定刃支持フレーム６の支持部６ａには、固定刃５１を固定刃支持フレーム６に対して移動可能な状態で支持する２つの支持軸５２、５３が、所定の間隔をおいて配設されている。これらの支持軸５２、５３は、固定刃５１に設けられた孔部５１ｆ、５１ｇを貫通して固定刃支持フレーム６の支持部６ａに取り付けられている。
【００４１】
図４に示すように、本実施形態においては、支持軸５２、５３として、頭付きねじが用いられる。支持軸５２は、頭部５２ａと、頭部５２ａの径より小径の軸部５２ｂと、軸部５２ｂの径より小径のねじ部５２ｃとから構成されている。また、支持軸５３は、支持軸５２と同様に、頭部５３ａと、頭部５３ａの径より小径の軸部５３ｂと、軸部５３ｂの径より小径のねじ部５３ｃとから構成されている。
【００４２】
また、固定刃５１に設けられた孔部５１ｆ、５１ｇは、その内径が各支持軸５２、５３の軸部５２ｂ、５３ｂの外径より大きくなるように構成されている。一方、各支持軸５２、５３の頭部５２ａ、５３ａの外径は、各孔部５１ｆ、５１ｇの内径より大きくなるように構成されている。
【００４３】
また、一方の支持軸５３に対し、支持軸５３の頭部５３ａと固定刃５１との間に圧縮コイルばね５４（弾性体）が挿入され、この圧縮コイルばね５４の弾性力によって固定刃５１が固定刃支持フレーム６の支持部６ａに対して付勢されるようになっている。
【００４４】
そして、このような構成により、固定刃５１は、支持部６ａ上において、支持突部５１ｄ、５１ｅ側を軸として、圧縮コイルばね５４の弾性力に抗して移動することができるように構成されている。
【００４５】
また、図５に示すように、固定刃支持フレーム６には、ブレードカバー５５が取り付けられている。ブレードカバー５５は、平板状の取付部５５ａと、この取付部５５ａに対して略直交する複数の長方形状の遮蔽部５５ｂ（第１の突起部）と、この遮蔽部５５ｂと同一平面を含むように延び、その途中から先端部分まで取付部５５ａ側に折り曲げられたガイド部５５ｃ（ガイド部）とから構成され、例えばステンレス鋼板に所定の切り込みを入れて折り曲げることによって形成される。ここで、ブレードカバー５５は、その遮蔽部５５ｂの高さ寸法が固定刃５１の厚さと同等あるいはそれより大きくなるように構成されている。
【００４６】
ブレードカバー５５は、その取付部５５ａが固定刃支持フレーム６の支持部６ａに重なるように配設され、支持軸５２、５３によってねじ止めされ固定刃支持フレーム６に固定される。この場合、ブレードカバー５５の遮蔽部５５ｂが、固定刃支持フレーム６の支持部６ａの固定刃側縁部６１から若干突き出すようになっている。また、ブレードカバー５５のガイド部５５ｃの先端部分が、プラテンローラ４０に向かうようになっている。
【００４７】
次に、可動刃３７と固定刃５１の動作について説明する。図３に示すように、固定刃支持フレーム６を閉じた状態で、固定刃５１と可動刃３７は、搬送路Ｐをはさんでそれぞれの刃部５１ａ、３７ａが対向するように配設されている。
【００４８】
可動刃３７が配設されたカッタフレーム３の底部３ａの前縁方両端部には、固定刃５１の係合突部５１ｂ、５１ｃと係合する当接部３ｂ、３ｃが形成されている。当接部３ｃは、カッタフレーム３の底部３ａの切断終了側の部位に固定刃支持フレーム６に向かって若干突出するように形成されている。当接部３ｂ、３ｃは、可動刃３７の下面に対して所定の位置関係を満たすように配置されており、固定刃５１は、その係合突部５１ｂ、５１ｃが当接部３ｂ、３ｃに当接した状態において可動刃３７に対して適切な位置に位置づけられる。
【００４９】
そして、固定刃支持フレーム６が閉じられた状態において、固定刃５１の係合突部５１ｂが、カッタフレーム３の当接部３ｂに対して上側から重なるとともに、固定刃５１の係合突部５１ｃが、カッタフレーム３の当接部３ｃに対して上側から重なるように構成されている。
【００５０】
固定刃支持フレーム６が閉じられた場合には、図２又は図３に示すように、固定刃５１の係合突部５１ｂ、５１ｃが、カッタフレーム３の当接部３ｂ、３ｃと係合することによって、固定刃５１が圧縮コイルばね５４の弾性力に抗して固定刃支持フレーム６の支持部６ａから浮いた状態になり、その結果、固定刃５１の刃部５１ａがブレードカバー５５の遮蔽部５５ｂから露出し、可動刃３７が固定刃５１に対して交叉摺動可能な状態になる。そして、カッタモータ３１を作動させることにより可動刃３７が矢印Ｃ方向に移動して記録紙９の切断が行われる。
【００５１】
一方、固定刃支持フレーム６が開かれた場合には、図１又は図５に示すように、固定刃５１の係合突部５１ｂ、５１ｃとカッタフレーム３の当接部３ｂ、３ｃとの係合が解除されるため、圧縮コイルばね５４の弾性力によって固定刃５１が固定刃支持フレーム６の支持部６ａに対して付勢され、その結果、固定刃５１の刃部５１ａがブレードカバー５５の遮蔽部５５ｂに遮蔽されることになる。
【００５２】
（第２の実施形態）
次に、本発明の第２の実施形態について説明する。ここで、第２の実施形態は、ブレードカバー５５の遮蔽部５５ｂの高さ寸法及びペーパーガイド７０を有する点で前述の第１の実施形態と異なり、第１の実施形態と共通部分についての説明は省略する。
【００５３】
図６は、第１の実施形態における図５に相当する部分断面図であって、固定刃支持フレーム６が開かれ、圧縮コイルばね５４の弾性力によって固定刃５１が固定刃支持フレーム６の支持部６ａに対して付勢された状態を示している。
【００５４】
第２の実施形態においては、図６に示すように、ブレードカバー５５の遮蔽部５５ｂは、固定刃５１の刃部５１ａの一部を覆うよう構成されている。すなわち、ブレードカバー５５の遮蔽部５５ｂの高さ寸法は、固定刃５１の厚さ寸法より短くなるように構成されている。これは、固定刃支持フレーム６が閉じられ、固定刃５１と可動刃３７とが協働して記録紙９を切断する場合に、遮蔽部５５ｂが固定刃５１の可動刃３７との摺動面に近い高さまであると、記録紙９と固定刃５１及び可動刃３７とがなす角が小さくなり、すなわち、記録紙の搬送方向上流側が可動刃３７側に、搬送方向下流側が固定刃５１側に傾くため、切断不良が起きる可能性が高くなるためである。このように、遮蔽部５５ｂの高さ寸法は、固定刃支持フレーム６の開閉に伴う固定刃５１の移動量を考慮して決められている。
【００５５】
本構成であっても、固定刃支持フレームを開くと、固定刃５１の刃部５１ａがブレードカバー５５の遮蔽部５５ｂに近づくことにより、刃部５１ａが破損する等の問題が発生する確率を低減させることができる。なお、通常の使用環境、刃部５１ａの形状等を想定すれば、遮蔽部５５ｂの高さ寸法は、固定刃５１の厚さの概ね１／２以上であることが望ましいことが実験により判明した。
【００５６】
さらに、本実施形態のプリンタ１は、切断後の記録紙９をプリンタ外部へ案内するためのペーパーガイド７０を備える。ペーパーガイド７０は、記録紙を案内するガイド部７０ａと、固定刃支持フレーム６を閉じるための押え部７０ｂと、固定刃支持フレーム６に取り付けるための取付部７０ｃとを備える。そして、取付部７０ｃは、固定刃支持フレーム６の位置決め支持部６０と嵌合し、押え部７０ｂの略中央部で固定刃支持フレーム６にねじ止め固定されている。ペーパーガイド７０は、例えば、樹脂成型により形成することができる。
【００５７】
ガイド部７０ａ（第２の突起部）は、ブレードカバー５５の遮蔽部５５ｂと略平行な長方形の平面を有し、紙案内としての機能に加え、ブレードカバー５５の遮蔽部５５ｂと協働して固定刃５１の刃部５１ａを保護する機能を有する。すなわち、ガイド部７０ａの平面と遮蔽部５５ｂの平面とにより、異物が刃部５１ａに接触する確率をさらに低減させることができる。また、異物が接触してしまったとしても、刃部５１ａに加わる圧力を低減させることができる。
【００５８】
以上説明したように本発明によれば、固定刃支持フレーム６を開いた場合に、固定刃５１が直ちに移動してその刃部５１ａの一部又は全てがブレードカバー５５の遮蔽部５５ｂによって自動的に遮蔽されるため、刃部５１ａを確実に保護することができ、刃部５１ａの欠け等を防止することができる。また、保守作業等を安全に行うことができる。また、使用者が誤ってカッタ刃に触れることがあっても刃部５１ａと指との接触圧が低減できるため切創等の怪我を防止することができる。
【００５９】
また、固定刃支持フレーム６を閉じた場合に、固定刃５１の刃部５５ａが遮蔽部５５ｂから自動的に露出されるため、直ちに切断可能な状態にすることができ、取り扱いの容易なカッタ装置及びカッタ装置を備えたプリンタを得ることができる。
【００６０】
さらに、圧縮コイルばね５４の弾性力によって固定刃５１を付勢して、その刃部５１ａを遮蔽部５５ｂにて遮蔽する構成にしたことから、カム機構等の複雑な機構を必要とすることなく、簡単な構成で刃部５１ａを遮蔽することのできるカッタ装置及びカッタ装置を備えたプリンタを得ることができる。
【００６１】
さらにまた、ブレードカバー５５が固定刃支持フレーム６に固定されており、ブレードカバー５５の遮蔽部５５ｂに外力が作用した場合であっても遮蔽部５５ｂが動かないため、固定刃５１の刃部の保護をより確実にすることができる。
【００６２】
さらにまた、記録紙９の搬送を案内するためのガイド部５５ｃが遮蔽部５５ｂと一体的に設けられていることから、遮蔽部５５ｂに対して精度良くガイド部５５ｃを配設することができ、これにより記録紙９をガイド部５５ｃに沿って確実に固定刃５１及び可動刃３７の刃部５１ａ、３７ａ間に導くことができる。
【００６３】
また、ペーパーガイド７０のガイド部７０ａを設けることにより、ブレードカバー５５の遮蔽部５５ｂと協働して固定刃５１の刃部５１ａをより確実に保護することができる。
【００６４】
また、本発明においては、固定刃支持フレーム６を開いた場合に、ガイド部５５ｃが固定刃支持フレーム６とともに移動されて記録紙９の搬送路Ｐが開放されるため、ロール紙交換等の作業を容易に行うことができる。
【００６５】
なお、本発明は上述の実施形態に限られることなく、種々の変更を行うことができる。
例えば、ブレードカバー５５の形状は上述した実施の形態に限られず適宜変更することができ、また、樹脂等から一体成型することも可能である。
【００６６】
また、固定刃５１を固定刃支持フレーム６の支持部に押圧するための弾性体として圧縮コイルばね５４を用いたが、引っ張りコイルばね等を用いて構成することも可能である。
【００６７】
また、開閉可能なフレーム６側に固定刃５１を設け、本体フレーム２側に可動刃３７を設けるようにしたが、開閉可能なフレーム側に可動刃３７を設け、本体フレーム２側に固定刃５１を設けるように構成することも可能である。ただし、構成を簡素なものにするためには、上述の実施形態のように構成することが好ましい。
【００６８】
また、感熱方式のプリンタだけではなく、インパクトドット方式、インクジェット方式等種々の方式のプリンタに適用しうるものである。
【００６９】
【発明の効果】
以上述べたように本発明のカッタ装置及びカッタ装置を備えたプリンタによれば、開閉可能なフレームにカッタ刃を備える構成において、フレームを開いた場合にカッタ刃の刃部の一部又はすべてを覆う突起状の部材を設けることにより、簡単な構成でカッタ刃の刃部を確実に保護することができる。
【図面の簡単な説明】
【図１】本発明の第１の実施形態に係るプリンタの内部構成の要部を示す正面図で、カバーフレームが開いた状態を示すものである。
【図２】本発明の第１の実施形態に係るプリンタの内部構成の要部を示す正面図で、カバーフレームが閉じた状態を示すものである。
【図３】本発明の第１の実施形態に係るプリンタの内部構成の要部を示す一部切り欠き平面図である。
【図４】図３のＸ−Ｘ線部分断面図である。
【図５】図３のＹ−Ｙ線部分断面図である。
【図６】本発明の第２の実施形態に係るプリンタの部分断面図で、図５に相当する図である。
【符号の説明】
２    本体フレーム
３    カッタフレーム
３ｂ、３ｃ    当接部
６    固定刃支持フレーム
６ａ  支持部
３７    可動刃
５１    固定刃
５４    圧縮コイルばね
２０    サーマルヘッド
５５    ブレードカバー
５５ｂ  遮蔽部
５５ｃ  ガイド部
７０    ペーパーガイド
【図１】
0003565112.tif 000002
【図２】
0003565112.tif 000003
【図３】
0003565112.tif 000004
【図４】
0003565112.tif 000005
【図５】
0003565112.tif 000006
【図６】
0003565112.tif 000007